(57)【要約】【課題】展開する際に、リードテープの接合部が外れ難い吸収性物品包装体を提供する。【解決手段】吸収性物品（１０）と包装シート（２０）とが厚さ方向に重ねられた吸収性物品包装体（１）であって、前記包装シート（２０）は、所定の密度及び所定の厚さを有する不織布であり、長手方向の一方側の端（２０ｅｆ）を含む第１端縁部（２０ｒｆ）と、他方側の端（２０ｅｂ）を含む第２端縁部（２０ｒｂ）とを有し、折り畳まれた状態において、前記第１端縁部（２０ｒｆ）の表面にはリードテープ（５０）の基端側が固定されており、前記リードテープ（５０）の自由端側が、前記包装シート（２０）の表面に剥離可能に貼付されており、前記第１端縁部（２０ｒｆ）は、前記リードテープ（５０）の基端側と重複している部分のうち、前記縦方向において前記一方側の端（２０ｅｆ）から所定の幅を有する領域において、前記所定の密度よりも密度が高く、前記所定の厚さよりも厚さが薄くなっている。【選択図】図５
2018149024.tif 000002
【特許請求の範囲】
【請求項１】
互いに交差する縦方向と横方向と厚さ方向とを備え、
吸収性物品と、包装シートと、前記縦方向に沿って設けられたリードテープとを有し、
前記吸収性物品と前記包装シートとが前記厚さ方向に重ねられた吸収性物品包装体であって、
前記包装シートは、所定の密度及び所定の厚さを有する不織布であり、展開した状態における長手方向の一方側の端を含む第１端縁部と、前記長手方向の他方側の端を含む第２端縁部とを有し、
前記吸収性物品及び前記包装シートが折り畳まれた状態において、前記第１端縁部が前記第２端縁部よりも前記厚さ方向の外側に配置されており、
前記第１端縁部の表面には前記リードテープの基端側が固定されており、
前記縦方向において、前記第１端縁部よりも外側に突出した前記リードテープの自由端側が、前記包装シートの表面に剥離可能に貼付されており、
前記第１端縁部は、前記厚さ方向において前記リードテープの基端側と重複している部分のうち、前記縦方向において少なくとも前記一方側の端から所定の幅を有する領域において、前記所定の密度よりも密度が高く、前記所定の厚さよりも厚さが薄くなっている、ことを特徴とする吸収性物品包装体。 
【請求項２】
請求項１に記載の吸収性物品包装体であって、
前記第１端縁部は、前記厚さ方向において前記リードテープの基端側と重複している部分の全体において、前記所定の密度よりも密度が高く、前記所定の厚さよりも厚さが薄くなっている、ことを特徴とする吸収性物品包装体。 
【請求項３】
請求項１または２に記載の吸収性物品包装体であって、
前記包装シートは、前記リードテープと重複する部分の前記横方向の両端から外側に所定の幅を有する領域において、前記所定の密度よりも密度が高く、前記所定の厚さよりも厚さが薄くなっている、ことを特徴とする吸収性物品包装体。 
【請求項４】
請求項３に記載の吸収性物品包装体であって、
前記包装シートのうち前記所定の密度よりも密度が高く、前記所定の厚さよりも厚さが薄くなっている領域の前記横方向における幅は、
前記縦方向における前記一方側の端において前記縦方向における前記他方側の端よりも広い、ことを特徴とする吸収性物品包装体。 
【請求項５】
請求項１〜４のいずれか１項に記載の吸収性物品包装体であって、
前記１端縁部を前記包装シートに接合する端部接着領域が前記横方向に沿って設けられており、
前記縦方向において、前記端部接着領域は、前記所定の密度よりも密度が高く、前記所定の厚さよりも厚さが薄くなっている領域と重複している、ことを特徴とする吸収性物品包装体。 
【請求項６】
請求項１〜５のいずれか１項に記載の吸収性物品包装体であって、
前記横方向の中央部において前記所定の密度よりも密度が高く、前記所定の厚さよりも厚さが薄くなった領域である中央高密度部と、
前記中央高密度部の前記横方向の両側において前記所定の密度よりも密度が高く、前記所定の厚さよりも厚さが薄くなった領域である両側高密度部と、を有し、
前記前記第１端縁部において、前記中央高密度部と前記両側高密度部とが、前記横方向に所定の間隔を空けて並んで配置されている、ことを特徴とする吸収性物品包装体。 
【請求項７】
請求項６に記載の吸収性物品包装体であって、
前記横方向の両側部において、前記厚さ方向に重ねられた前記包装シート同士を接合するシール領域を有し、
前記両側高密度部の少なくとも一部は、前記シール領域と重複している、ことを特徴とする吸収性物品包装体。 
【請求項８】
請求項６または７に記載の吸収性物品包装体であって、
前記中央高密度部の面積は、各々の前記両側高密度部の面積よりも大きい、ことを特徴とする吸収性物品包装体。 
【請求項９】
請求項１〜８のいずれか１項に記載の吸収性物品包装体であって、
前記第１端縁部において、
前記所定の密度よりも密度が高く、前記所定の厚さよりも厚さが薄くなっている領域の面積の和は、
前記所定の密度及び前記所定の厚さを有する領域の面積の和よりも大きい、
ことを特徴とする吸収性物品包装体。 
【請求項１０】
請求項１〜９のいずれか１項に記載の吸収性物品包装体であって、
前記吸収性物品は、前記横方向の両側にウイング部を有し、
前記包装シートは、前記所定の密度よりも密度が高く、前記所定の厚さよりも厚さが薄くなった部分である高密度部が前記横方向に沿って複数並んだ高密度領域を、前記第２端縁部に有し、
前記吸収性物品及び前記包装シートが折り畳まれた状態において、前記ウイング部と前記包装シートとの間にはウイングセパレーターが設けられており、
前記ウイングセパレーターは、ウイングセパレーター接合部によって前記包装シートと接合されており、
前記縦方向において、前記ウイングセパレーター接合部は、前記高密度領域と重複している、ことを特徴とする吸収性物品包装体。 
【発明の詳細な説明】
【技術分野】
【０００１】
本発明は、吸収性物品包装体に関する。
【背景技術】
【０００２】
生理用ナプキンや失禁パット等の吸収性物品を折り畳んだ状態で、包装シートによって個別に包装した吸収性物品包装体が知られている。このような吸収性物品包装体では、長手方向に折り畳まれた状態から展開する際に、指でつまんで引っ張るためのリードテープが包装シートに設けられている場合がある。例えば、特許文献１には、包装シートの長手方向の一方側の端縁部が包装シートの表面に折り重ねられ、該端縁部を跨ぐようにリードテープが設けられた吸収性物品包装体において、端縁部を部分的に平滑化することで、該端縁部にリードテープを強い強度で固定（接合）できるようにする技術が開示されている。
【先行技術文献】
【特許文献】
【０００３】
【特許文献１】特許第４４２６１６３号広報
【発明の概要】
【発明が解決しようとする課題】
【０００４】
しかし、特許文献１では、吸収性物品包装体の展開時にリードテープが長手方向に引っ張られる際に、最も強い力が作用する位置である包装シートの長手方向の「端」の部位において包装シートが平滑化されていない。この場合、包装シートの「端」がリードテープの基端部（つまり接合部）が剥がれる基点となり、そのままリードテープの固定部全体が包装シートの端縁部から剥がれ、リードテープだけが包装シートから外れてしまうおそれがある。
本発明は、上記のような問題に鑑みてなされたものであって、その目的とするところは、展開する際に、リードテープの接合部が外れ難い吸収性物品包装体を提供することにある。
【課題を解決するための手段】
【０００５】
上記目的を達成するための主たる発明は、互いに交差する縦方向と横方向と厚さ方向とを備え、吸収性物品と、包装シートと、前記縦方向に沿って設けられたリードテープとを有し、前記吸収性物品と前記包装シートとが前記厚さ方向に重ねられた吸収性物品包装体であって、前記包装シートは、所定の密度及び所定の厚さを有する不織布であり、展開した状態における長手方向の一方側の端を含む第１端縁部と、前記長手方向の他方側の端を含む第２端縁部とを有し、前記吸収性物品及び前記包装シートが折り畳まれた状態において、前記第１端縁部が前記第２端縁部よりも前記厚さ方向の外側に配置されており、前記第１端縁部の表面には前記リードテープの基端側が固定されており、前記縦方向において、前記第１端縁部よりも外側に突出した前記リードテープの自由端側が、前記包装シートの表面に剥離可能に貼付されており、前記第１端縁部は、前記厚さ方向において前記リードテープの基端側と重複している部分のうち、前記縦方向において少なくとも前記一方側の端から所定の幅を有する領域において、前記所定の密度よりも密度が高く、前記所定の厚さよりも厚さが薄くなっている、ことを特徴とする吸収性物品包装体である。
本発明の他の特徴については、本明細書及び添付図面の記載により明らかにする。
【発明の効果】
【０００６】
本発明によれば、展開する際に、リードテープの接合部が外れ難い吸収性物品包装体を提供することができる。
【図面の簡単な説明】
【０００７】
【図１】折り畳まれた個包装状態のナプキン１の概略斜視図である。
【図２】展開した状態のナプキン１を肌側から見たときの概略平面図である。
【図３】展開した状態のナプキン１を非肌側から見たときの概略平面図である。
【図４】図２のＡ−Ａ断面について表した概略断面図である。
【図５】折り畳まれた個包装状態のナプキン１の概略平面図である。
【図６】図５のＢ−Ｂ断面について表した概略断面図である。
【図７】図７Ａは、包装シートに高密度部を有していない吸収性物品包装体１００を開封する際の動作について説明する図である。図７Ｂは、個包装状態のナプキン１を開封する際の動作について説明する図である。
【図８】個包装状態のナプキン１を開封する際にリードテープ５０を引っ張る動作について表した概略斜視図である。
【図９】展開した状態のナプキン２を肌側から見たときの概略平面図である。
【図１０】展開状態のナプキン２を第１折り目Ｆ１にて縦方向に折り畳んだ状態について表す概略平面図である。
【図１１】図１０のＣ−Ｃ断面について表した概略断面図である。
【発明を実施するための形態】
【０００８】
本明細書及び添付図面の記載により、少なくとも以下の事項が明らかとなる。
互いに交差する縦方向と横方向と厚さ方向とを備え、吸収性物品と、包装シートと、前記縦方向に沿って設けられたリードテープとを有し、前記吸収性物品と前記包装シートとが前記厚さ方向に重ねられた吸収性物品包装体であって、前記包装シートは、所定の密度及び所定の厚さを有する不織布であり、展開した状態における長手方向の一方側の端を含む第１端縁部と、前記長手方向の他方側の端を含む第２端縁部とを有し、前記吸収性物品及び前記包装シートが折り畳まれた状態において、前記第１端縁部が前記第２端縁部よりも前記厚さ方向の外側に配置されており、前記第１端縁部の表面には前記リードテープの基端側が固定されており、前記縦方向において、前記第１端縁部よりも外側に突出した前記リードテープの自由端側が、前記包装シートの表面に剥離可能に貼付されており、前記第１端縁部は、前記厚さ方向において前記リードテープの基端側と重複している部分のうち、前記縦方向において少なくとも前記一方側の端から所定の幅を有する領域において、前記所定の密度よりも密度が高く、前記所定の厚さよりも厚さが薄くなっている、ことを特徴とする吸収性物品包装体。
【０００９】
このような吸収性物品包装体によれば、包装シートのうちリードテープの基端部と厚さ方向において重複する領域の繊維が押し固められ、不織布表面が平滑な状態となっているため、リードテープ基端部の接合強度が強くなる。特に、リードテープが引っ張られる際に大きな力が作用する包装シートの長手方向端部において、リードテープ基端部の接合強度が強くなるため、リードテープが包装シートから外れ難くなる。
【００１０】
かかる吸収性物品包装体であって、前記第１端縁部は、前記厚さ方向において前記リードテープの基端側と重複している部分の全体において、前記所定の密度よりも密度が高く、前記所定の厚さよりも厚さが薄くなっている、ことが望ましい。
【００１１】
このような吸収性物品包装体によれば、包装シートのうちリードテープの基端部と厚さ方向において重複する領域の全体において、リードテープ基端部の接合強度が強くなる。したがって、リードテープが包装シートから離脱しまうことをより抑制しやすくなる。
【００１２】
かかる吸収性物品包装体であって、前記包装シートは、前記リードテープと重複する部分の前記横方向の両端から外側に所定の幅を有する領域において、前記所定の密度よりも密度が高く、前記所定の厚さよりも厚さが薄くなっている、ことが望ましい。
【００１３】
このような吸収性物品包装体によれば、リードテープ基端部の横方向両端において、包装シートからリードテープを引き剥がす力が作用した場合であっても、リードテープが離脱し難い。また、製造時にリードテープを包装シートに接合する際に、接合位置が横方向にずれたとしても、包装シートの高密度部（高強度部）にリードテープの基端部を配置することができるため、リードテープの接合強度が弱くなることを抑制できる。
【００１４】
かかる吸収性物品包装体であって、前記包装シートのうち前記所定の密度よりも密度が高く、前記所定の厚さよりも厚さが薄くなっている領域の前記横方向における幅は、前記縦方向における前記一方側の端において前記縦方向における前記他方側の端よりも広い、ことが望ましい。
【００１５】
このような吸収性物品包装体によれば、リードテープが引っ張られた場合に、包装シートの縦方向の一方側の端とリードテープの横方向の両端との交点において最も大きな力が作用しやすい。そこで、包装シートの縦方向の一方側において高密度部（高強度部）を広く形成することにより、不織布の繊維が剥がれたり、不織布が破れたりすることを抑制しやすくすることができる。
【００１６】
かかる吸収性物品包装体であって、前記１端縁部を前記包装シートに接合する端部接着領域が前記横方向に沿って設けられており、前記縦方向において、前記端部接着領域は、前記所定の密度よりも密度が高く、前記所定の厚さよりも厚さが薄くなっている領域と重複している、ことが望ましい。
【００１７】
このような吸収性物品包装体によれば、端部接着領域を形成している接着剤が、不織布の高密度部を透過して不織布の厚さ方向の上側（製品の表側）に染み出すことを抑制できる。したがって、吸収性物品包装体の表面が接着剤によってべたつくことが抑制される。
【００１８】
かかる吸収性物品包装体であって、前記横方向の中央部において前記所定の密度よりも密度が高く、前記所定の厚さよりも厚さが薄くなった領域である中央高密度部と、前記中央高密度部の前記横方向の両側において前記所定の密度よりも密度が高く、前記所定の厚さよりも厚さが薄くなった領域である両側高密度部と、を有し、記前記第１端縁部において、前記中央高密度部と前記両側高密度部とが、前記横方向に所定の間隔を空けて並んで配置されている、ことが望ましい。
【００１９】
このような吸収性物品包装体によれば、中央高密度部と両側高密度部との間の領域では、包装シートを構成する不織布の繊維が伸びやすくなるため、当該領域においてリードテープを引っ張る力が分散されることにより、リードテープの横方向両端に力が集中して作用することが抑制される。これにより、当該横方向両端においてリードテープ基端部の接着が剥がれ難くなり、リードテープが包装シートから離脱してしまうことをより抑制しやすくなる。
【００２０】
かかる吸収性物品包装体であって、前記横方向の両側部において、前記厚さ方向に重ねられた前記包装シート同士を接合するシール領域を有し、前記両側高密度部の少なくとも一部は、前記シール領域と重複している、ことが望ましい。
【００２１】
このような吸収性物品包装体によれば、両側高密度部が形成されている領域では、不織布の強度が高くなるため、吸収性物品の開封時にシール領域を剥がす際に、該シール領域において不織布が破れてしまうことを抑制しやすくなる。
【００２２】
かかる吸収性物品包装体であって、前記中央高密度部の面積は、各々の前記両側高密度部の面積よりも大きい、ことが望ましい。
【００２３】
このような吸収性物品包装体によれば、両側高密度部が形成されている領域では、不織布の強度が高くなるため、吸収性物品の開封時にシール領域を剥がす際に、該シール領域において不織布が破れてしまうことを抑制しやすくなる
【００２４】
かかる吸収性物品包装体であって、前記第１端縁部において、前記所定の密度よりも密度が高く、前記所定の厚さよりも厚さが薄くなっている領域の面積の和は、前記所定の密度及び前記所定の厚さを有する領域の面積の和よりも大きい、ことが望ましい。
【００２５】
このような吸収性物品包装体によれば、第１端縁部において密度が高い領域の割合を大きくすることにより、第１端縁部において接着剤の染み出しや不織布の破れといった問題が生じることを抑制しやすくなる。
【００２６】
かかる吸収性物品包装体であって、前記吸収性物品は、前記横方向の両側にウイング部を有し、前記包装シートは、前記所定の密度よりも密度が高く、前記所定の厚さよりも厚さが薄くなった部分である高密度部が前記横方向に沿って複数並んだ高密度領域を、前記第２端縁部に有し、前記吸収性物品及び前記包装シートが折り畳まれた状態において、前記ウイング部と前記包装シートとの間にはウイングセパレーターが設けられており、前記ウイングセパレーターは、ウイングセパレーター接合部によって前記包装シートと接合されており、前記縦方向において、前記ウイングセパレーター接合部は、前記高密度領域と重複している、ことが望ましい。
【００２７】
このような吸収性物品包装体によれば、ウイングセパレーターと包装シートとを接合するウイングセパレーター接合部の接合強度が高くなり、吸収性物品包装体の開封時等においてウイングセパレーターが包装シートから外れてしまうことが抑制される。また、ウイングセパレーターを形成している接着剤が包装シート（不織布）の厚さ方向の反対側に染み出しにくくなり、包装シートの表面がベタつくことを抑制できる。
【００２８】
＝＝＝第１実施形態＝＝＝
＜吸収性物品包装体の構成＞
第１実施形態に係る吸収性物品包装体（個包装体）の一例として、生理用ナプキン１（以下、単にナプキン１とも呼ぶ）について説明する。なお、以下ではナプキン１について説明するが、本実施形態の吸収性物品包装体には、所謂おりものシート（例えばパンティライナー）や失禁パット等も含まれており、生理用ナプキンに限定されるものではない。
【００２９】
図１は、折り畳まれた個包装状態のナプキン１の概略斜視図である。図２は、展開した状態のナプキン１を肌側から見たときの概略平面図である。図３は、展開した状態のナプキン１を非肌側から見たときの概略平面図である。図４は、図２のＡ−Ａ断面について表した概略断面図である。
【００３０】
図１〜図４に示されるように、本実施形態のナプキン１は、吸収性物品１０と、包装シート２０と、とリードテープ５０とを有する。また、吸収性物品１０と包装シート２０との厚さ方向の間には、セパレーター３０が設けられている。
【００３１】
以下の説明では、図１〜図４に示すように各方向を定義する。すなわち、展開した状態のナプキン１（吸収性物品１０，包装シート２０）の製品長手方向に沿った方向を「縦方向」とする。縦方向は「前側」と「後側」を有する。この「前側」は吸収性物品１０の使用時において使用者の腹側となる方向であり、「後側」は吸収性物品１０の使用時において使用者の背側となる方向である。また、縦方向と直交する方向、すなわち製品幅方向に沿った方向を「横方向」とする。また、縦方向及び横方向と直交する方向を「厚さ方向」とし、吸収性物品１０の使用時（着用時）に使用者（着用者）の肌と当接する側を「肌側」、その逆側を「非肌側」とする。
【００３２】
吸収性物品１０は、液体を吸収する吸収性コア１１と、使用者の肌側から吸収性コア１１を覆うトップシート１２と、使用者の非肌側から吸収性コア１１を覆うバックシート１３とを有する（図２，図４参照）。
【００３３】
吸収性コア１１は、縦方向に沿って長い縦長の部材であり、親水性繊維やパルプ等を含み、体液等の液体を効率的に吸収・保持することができる。吸収性コア１１は、親水性繊維又は紛体をエアレイド法によって積層して形成されても良いし、親水性繊維又は紛体をエアレイド法によってシート状に成形したエアレイドシートであっても良い。トップシート１２は、吸収性コア１１の肌側に重ねられたセンタートップシート１２Ａと、センタートップシート１２Ａの横方向の両側に重ねられたサイドトップシート１２Ｂとを有する。センタートップシート１２Ａ及びサイドトップシート１２Ｂは、共に体液等の液体を透過させる液透過性のシート部材であり、例えば不織布によって形成される。但し、液体を透過する構造のシート部材であり、かつ、ナプキン１の使用時において使用者の肌と当接する際に安全な部材であれば特に材料の制限はない。例えば、織布やメッシュシートであっても良い。バックシート１３は、非液透過性のシート部材であり、例えばポリエチレンやプロピレン等を主体としたフィルム、通気性の樹脂フィルム、スパンボンド、又はスパンレース等の不織布に通気性の樹脂フィルムが接合されたシートなどによって形成される。バックシート１３が非液透過性であることから、ナプキン１の使用時においてトップシート１２（１２Ａ，１２Ｂ）を透過して吸収性コア１１によって吸収された液体が下着等の着衣側（非肌側）に染み出すことが抑制される。
【００３４】
包装シート２０は、吸収性物品１０を個別に包装するシート部材である。この包装シート２０は、ナプキン１の使用前においては吸収性物品１０と厚さ方向に重ね合わせられた状態で接合されており、ナプキン１を使用する際には、吸収性物品１０から取り外される。本実施形態において、包装シート２０は、長手方向（縦方向）に長辺を有する略長方形状のシート部材であり、吸収性物品１０と包装シート２０とは、セパレーター３０を介してホットメルト接着剤等の接着剤が設けられた本体粘着部１３１及び包装シート接合部１３２によって接合されている（図４参照）。展開した状態の包装シート２０のうち、長手方向において一方側（図２では縦方向の前側）の端２０ｅｆを含む所定の幅の領域を第１端縁部２０ｒｆとし、長手方向において他方側（図２においては縦方向の後側）の端２０ｅｂを含む所定の幅の領域を第２端縁部２０ｒｂとする。また、横方向において包装シート２０の端２０ｅｓを含む所定の幅の領域を側端部２０ｒｓとする。
【００３５】
包装シート２０の材料としては、不織布、例えばＳＭＳ（スパンボンド／メルトブローン／スパンボンド）不織布が用いられる。従来の吸収性物品包装体（個包装体）では、樹脂製やフィルム製の包装シートが用いられる場合が多かった。一方、本実施形態のナプキン１では不織布製の包装シート２０を用いることにより、開封時にガサガサというジッピング音が発生し難く、ナプキン１を使用する際に他者に気付かれ難くなる。また、不織布独特の柔らかな肌触りにより、使用者（着用者）に安心感を与えることができる。
【００３６】
包装シート２０は、不織布表面の全領域に亘って、厚さ方向に所定のエンボス処理が施されている。例えば、スパンボンド不織布やメルトブローン不織布が積層された状態で、包装シート２０の表面全体に細かいドット状に加圧・加熱された部分である熱融着部（不図示）が多数形成されている。これにより、包装シートは所定の密度ρ２０、及び所定の厚さｔ２０を有している。なお、密度ρ２０は、所定の大きさ（面積）に切り出した包装シート２０の重量を測定することで算出される値である。また、厚さｔ２０は、例えば、ミツトヨ（株）製のダイアルシックネスゲージＩＤ−Ｃ１０１２Ｃまたはそれと同等のものを使用し、接触子の面積を２０ｃｍ２、接触圧を３ｇｆ／ｃｍ２に設定して不織布表面の複数箇所について測定した値の平均値である。
【００３７】
また、包装シート２０の所定の領域には、上述したエンボス処理とは別に圧縮処理が施されることによって高密度部２５が形成されている。高密度部２５では、所定の密度ρ２０よりも密度が高く、また、所定の厚さｔ２０よりも厚さが薄くなっている。高密度部２５を形成する圧縮処理は、包装シート２０（不織布）の所定の領域にカレンダー処理やエンボス処理等の公知の加圧加工を施すことによって行われる。したがって、高密度部２５では、不織布表面の繊維が押し固められることによって、高密度部２５が形成されていない領域と比較して、表面の微細な凹凸が減少し、平滑な状態となっている。
【００３８】
本実施形態の包装シート２０では、図３の黒塗り部で示されるように、それぞれ横方向に沿った第１高密度領域２５１、第２高密度領域２５２、第３高密度領域２５３、及び、第４高密度領域２５４の４つの高密度領域が縦方向に並んで配置されている。なお、図２では説明の便宜上、高密度領域２５１〜２５４の表示を省略している。各々の高密度領域２５１〜２５４は、所定の大きさ及び形状を有する高密度部２５が横方向に間隔を空けて複数並ぶことによって形成されている。このうち、第１高密度領域２５１は包装シート２０の第１端縁部２０ｒｆと重複する位置に形成されている。また、以下の説明では、第１高密度領域２５１を形成する複数の高密度部２５のうち、横方向の中央においてリードテープ５０（基端部５０ｓ）と重複する位置に設けられている面積の大きな高密度部２５を中央高密度部２５１ｃとし、中央高密度部２５１ｃの横方向両側に設けられている複数の高密度部２５を、両側高密度部２５１ｓとする。
【００３９】
包装シート２０の第１端縁部２０ｒｆ（端２０ｅｆ）には、リードテープ５０が設けられている。リードテープ５０は、例えばポリプロピレンフィルムによって形成され、長手方向の他方側の端部である基端部５０ｓが第１端縁部２０ｒｆの非肌側の表面に接合・固定されている。基端部５０ｓの固定は、ホットメルト接着剤等の接着剤によって形成される接着層５５を介して行われている。一方、リードテープ５０の長手方向の一方側の端部は、包装シート２０の第１端縁部２０ｒｆ（端２０ｅｆ）よりも長手方向の外側（縦方向の前側）に突出した自由端部５０ｆを形成している。リードテープ５０の構成や機能に関する詳細は後で説明する。
【００４０】
セパレーター３０は、吸収性物品１０のバックシート１３と包装シート２０との間に配置されるシート部材である（図４参照）。セパレーター３０の肌側表面はシリコン樹脂等を用いて剥離加工が施されており、吸収性物品１０との間に設けられた本体粘着部１３１に対して剥離可能に貼付されている。剥離加工については公知であるため説明を省略する。一方、セパレーター３０の非肌側表面は、包装シート２０との間に設けられた包装シート接合部１３２によって包装シートに固定（接合）されている。このようなセパレーター３０が配置されることにより、吸収性物品１０の使用前において本体粘着部１３１を形成する接着剤が包装シート２０に付着することや、本体粘着部１３１の粘着性が弱くなることが抑制されると共に、該本体粘着部１３１が保護される。そして、吸収性物品１０を使用する際には、セパレーター３０が包装シート２０と共に本体粘着部１３１から剥がされ、該本体粘着部１３１の粘着力によって吸収性物品１０が使用者の下着等に固定される。
【００４１】
本実施形態において、個包装状態のナプキン１は、横方向に沿った複数の折り目によって、縦方向に折り畳まれている。具体的には、２つの折り目Ｆ１，Ｆ２によってナプキン１が縦方向に３つ折りとなるように折り畳まれている。第１折り目Ｆ１は、ナプキン１の縦方向における中央の位置よりも後側に配置されており、第２折り目Ｆ２は、ナプキン１の縦方向における中央の位置よりも前側に配置されている（図１、図２参照）。
【００４２】
＜ナプキン１の個包装について＞
次に、ナプキン１の個包装状態について説明する。図５は、折り畳まれた個包装状態のナプキン１の概略平面図である。図６は、図５のＢ−Ｂ断面について表した概略断面図である。なお、図６では説明の便宜上、セパレーター３０を不図示としている。
【００４３】
上述したように、ナプキン１は、２つの折り目Ｆ１，Ｆ２にて折り畳まれることにより、吸収性物品１０が包装シート２０によって包装された個包装状態となる。ナプキン１を折り畳む際には、先ず、第１折り目Ｆ１を基点として吸収性物品１０の肌側表面が内側となるように、包装シート２０及び吸収性物品１０（及びセパレーター３０）が縦方向に折り曲げられる。すなわち、第１折り目Ｆ１を基点として包装シート２０の第２端縁部２０ｒｂ（端２０ｅｂ）が縦方向（長手方向）の外側から内側に折り返される。続いて、第２折り目Ｆ２を基点として包装シート２０及び吸収性物品１０（及びセパレーター３０）が縦方向に折り曲げられる。すなわち、第２折り目Ｆ２基点として包装シート２０の第１端縁部２０ｒｆ（端２０ｅｆ）が縦方向（長手方向）の外側から内側に折り返される。これにより、ナプキン１では、包装シート２０の第１端縁部２０ｒｆが、第２端縁部２０ｒｂよりも厚さ方向の外側（図６では上側）に配置された状態となる。
【００４４】
包装シート２０の第１端縁部２０ｒｆが厚さ方向において包装シート２０と重ねられている領域には、図５及び図６に示されるような端部接着領域２７が形成されている。端部接着領域２７は、包装シート２０の横方向両側の側端部２０ｒｓ，２０ｒｓの間において、横方向に沿って帯状に接着剤を塗布することによって形成され、図６のように、第１端縁部２０ｒｆの下側の面と、該第１端縁部２０ｒｆと重複している包装シート２０の上側の面とを接合している。この端部接着領域２７によって、第１端縁部２０ｒｆにおいて厚さ方向に重ねられた包装シート２０同士が接着され、ナプキン１の使用開始前に、折り畳み状態が展開してしまうことが抑制される。すなわち、個包装状態のナプキン１が自然に開封してしまうこと等が抑制される。
【００４５】
また、包装シート２０の横方向両側の側端部２０ｒｓにおいて、厚さ方向に重ねられた包装シート２０同士を縦方向に沿って接合（シール）する、シール領域２９が形成されている。シール領域２９は、超音波溶着や熱溶着等の公知のシール手段を用いて形成される。これにより、折り畳まれた包装シート２０同士が横方向両側の側端部２０ｒｓにて接合され、ナプキン１は図１及び図５のように折り畳まれた個包装状態で維持されやすくなる。
【００４６】
このように折り畳まれて個包装状態となったナプキン１に対して、包装シート２０の第１端縁部２０ｒｆよりも縦方向の外側に突出したリードテープ５０の自由端部５０ｆが、接着層５５を介して包装シート２０の表面に貼付される。つまり、リードテープ５０が、包装シート２０の端２０ｅｆを跨ぐようにして配置される（図６参照）。なお、リードテープ５０の自由端部５０ｆは、包装シート２０の表面に剥離可能に貼付されており、ナプキン１の使用時には包装シート２０の表面から簡単に剥がすことが可能である。一方、リードテープ５０の基端部５０ｓは、包装シート２０に圧着されており接合強度が高いため、自由端部５０ｆと比較して包装シート２０の表面から剥がれ難い。
【００４７】
吸収性物品１０の使用時は、第１折り目Ｆ１及び第２折り目Ｆ２にて折り曲げられていたナプキン１を図２のように展開し、包装シート２０及びセパレーター３０を吸収性物品１０から離脱させる動作が行われる。ナプキン１を個包装状態から展開する際には、リードテープ５０の自由端部５０ｆが使用者等の指によってつままれ、厚さ方向の内側から外側、かつ縦方向の一方側から他方側に引っ張られる。この動作により、先ず、リードテープ５０の自由端部５０ｆが包装シート２０の表面から剥がされる。続いて、リードテープ５０を介して包装シート２０の第１端縁部２０ｒｆが引っ張られることにより、該第１端縁部２０ｒｆを接合していた端部接着領域２７が剥がれてナプキン１が開封される。
【００４８】
図７Ａは、比較例として、包装シートに高密度部を有していない吸収性物品包装体１００を開封する際の動作について説明する図である。図７Ｂは、本実施形態において、個包装状態のナプキン１を開封する際の動作について説明する図である。図７Ａ及び図７Ｂは、共に、不織布製の包装シートを有する吸収性物品包装体において、リードテープを引っ張る動作を横方向から見た場合の断面模式図である。
【００４９】
上述したように、吸収性物品包装体を開封する際には、リードテープの自由端側を厚さ方向の内側から外側、かつ縦方向の一方側から他方側に引っ張ることによって、厚さ方向に重ねられている包装シート同士を引き剥がす動作が行われる。このような動作を行う場合、図７Ａに示される従来の吸収性物品包装体１００では、リードテープ１５０の自由端部１５０ｆが強く引っ張られると、包装シート１２０の長手方向の端１２０ｅｆにおいて、リードテープ１５０の基端部１５０ｓを接合固定していた接着層１５５が包装シート１２０から剥がれてリードテープ１５０が包装シート１２０から離脱してしまうおそれがある。
【００５０】
そして、包装シート１２０が不織布によって形成されている場合、不織布の表面は、複数の繊維が複雑に絡まり合うことによって微細な凹凸が形成されており、微視的に見るとその表面は粗い状態である。このような表面に接着層１５５が設けられると、該接着層１５５を形成する接着剤と不織布表面との接触部分の面積（接触面積）が小さくなり、接着剤（接着層１５５）が不織布の表面に十分に固着せず、剥がれやすくなる。その結果、包装シート１２０（不織布）表面の繊維が接着層１５５と共に剥がれてしまう、所謂「繊維抜け」が発生したり、不織布自体が破れたりすることによって、リードテープ１５０が離脱しやすくなる。
【００５１】
なお、上述した特許文献１のように、包装シート１２０の一部の領域に平滑化処理を施しておくことで、当該領域においては繊維抜けの発生を生じ難くすることができる。しかしながら、従来、包装シート１２０の長手方向の端１２０ｅｆまで平滑化処理が施されている例は無い。したがって、リードテープ１５０を引っ張る際に最も大きな力が作用する端１２０ｅｆにおいて接着層１５５の剥離が発生しやすく、当該剥離が包装シート１２０の縦方向に沿って伝播することにより、結局、図７Ａのようにリードテープ１５０が包装シート１２０から離脱しやすくなる。
【００５２】
これに対して、本実施形態のナプキン１では、包装シート２０のうちリードテープ５０の基端部５０ｓと厚さ方向において重複する領域の全体に高密度部２５（中央高密度部２５１ｃ）が形成されている。高密度部２５では、包装シート２０の表面に圧縮処理が施されることによって繊維が押し固められ、不織布表面の微細な凹凸が減少して表面が平滑な状態となっている。そのため、高密度部２５と重複する位置に接着層５５を設けることによって、接着剤と不織布表面とが接触している部分の面積（接触面積）を大きくし、接着層５５による接着力を十分に強くすることができる。また、高密度部２５自体の強度が高いため、リードテープ５０の基端部５０ｓを引き剥がす方向に力が作用した場合であっても、不織布の破れや繊維抜けは生じ難い。
【００５３】
特に、本実施形態のナプキン１では、従来の吸収性物品包装体とは異なり、包装シート２０のうち第１端縁部２０ｒｆの縦方向の端２０ｅｆまで高密度部２５（中央高密度部２５１ｃ）が形成されている。言い換えると、包装シート２０の第１端縁部２０ｒｆは、厚さ方向においてリードテープ５０の基端部５０ｓと重複している部分のうち、縦方向において端２０ｅｆから所定の幅を有する領域において、所定の密度ρ２０よりも密度が高く、所定の厚さｔ２０よりも厚さが薄くなっている。したがって、図７Ｂに示されるように、リードテープ５０を引っ張る際に最も大きな力が作用する端２０ｅｆにおいて接着層５５の剥離が発生し難く、リードテープ５０が包装シート２０から離脱することを効果的に抑制することができる。
【００５４】
また、包装シート２０の第１端縁部２０ｒｆに形成されている高密度部２５（中央高密度部２５１ｃ）は、図５に示されるように、リードテープ５０の基端部５０ｓよりも横方向の両側に広い面積を有する領域となっている。言い換えると、包装シート２０は、横方向においてリードテープ５０と重複している領域の両端から外側に所定の幅を有する領域において、所定の密度ρ２０よりも密度が高く、所定の厚さｔ２０よりも厚さが薄くなっている。したがって、ナプキン１の製造時においてリードテープ５０の基端部５０ｓを包装シート２０に接合固定する位置が横方向において多少ずれたとしても、基端部５０ｓの接着層５５を高密度部２５と重複した位置に配置することができるため、リードテープ５０の接合強度が弱くなることを抑制できる。
【００５５】
個包装状態のナプキン１を開封する際にリードテープ５０を引っ張る場合、包装シート２０に対して、図７で説明した縦方向（及び厚さ方向）に作用する力以外に、横方向に作用する力も考慮する必要がある。図８は、個包装状態のナプキン１を開封する際にリードテープ５０を引っ張る動作について表した概略斜視図である。本実施形態のナプキン１では、包装シート２０の第１端縁部２０ｒｆ（端２０ｅｆ）の横方向のほぼ中央の位置にリードテープ５０が固定されている。そのため、ナプキン１の開封動作時にリードテープ５０の自由端部５０ｆが引っ張られると、図８のように、先ず包装シート２０の端２０ｅｆの横方向中央部が引っ張られ、続いて包装シート２０の端２０ｅｆの横方向両側に引っ張り力が伝達されて行く。したがって、リードテープ５０が引っ張られた場合、横方向においてリードテープ５０の基端部５０ｓの両端と包装シート２０の端２０ｅｆとが交差する点である端点５０ｓｅにおいて、包装シート２０に対して大きな力が作用する。
【００５６】
そこで、包装シート２０では、リードテープ５０の基端部５０ｓと重複する中央高密度部２５１ｃのうち、縦方向の一方側の端（すなわち端２０ｅｆ）における横方向の幅Ｗ２５１ｆが、縦方向の他方側の端における横方向の幅Ｗ２５１ｂよりも長くなるようにしている（図５参照）。上述したように、高密度部２５（中央高密度部２５１ｃ）は所定の密度ρ２０よりも密度が高く、不織布の強度が高い。したがって、中央高密度部２５１ｃのうち、縦方向の一方側の端２０ｅｆにおいて、幅Ｗ２５１ｆを大きくして強度が高い領域（すなわち高密度部２５）を広く設けておくことにより、端点５０ｓｅにおいて横方向に大きな力が作用した場合であっても不織布の繊維が剥がれたり、不織布が破れたりすることを抑制しやすくなる。
【００５７】
なお、中央高密度部２５１ｃのうち横方向の幅が最も狭くなっている部分の幅Ｗ２５１ｂは、上述したようにリードテープ５０の基端部５０ｓよりも横方向の両側に広い。したがって、該基端部５０ｓの接着層５５は横方向の全域において中央高密度部２５１ｃと重複して配置されることになるため、横方向に力が作用した場合であっても接着層５５の剥離は生じ難く、リードテープ５０が包装シート２０から離脱してしまう可能性は低い。
【００５８】
また、個包装状態のナプキン１では、図６に示されるように、リードテープ５０の接着層５５と、包装シート２０の端部接着領域２７とが、縦方向（及び横方向）について重複した位置に配置されている。すなわち、包装シート２０の第１端縁部２０ｒｆを挟んで接着層５５と端部接着領域２７とが重複して配置されている。このような場合、仮に、第１端縁部２０ｒｆに高密度部２５（中央高密度部２５１ｃ）が形成されていなければ、接着層５５及び端部接着領域２７を形成している接着剤が不織布の厚さ方向の反対側に染み出してしまうおそれがある。これに対して、ナプキン１では、接着層５５及び端部接着領域２７が共に、繊維密度の高い高密度部２５（中央高密度部２５１ｃ）と重複して配置されている。したがって、該高密度部２５では不織布の厚さ方向における接着剤の移動や染み出しが抑制される。
【００５９】
また、包装シート２０の端部接着領域２７は、横方向に沿って形成されている第１高密度領域２５１と縦方向において重複する位置に配置されている。すなわち、端部接着領域２７を形成する接着剤は、包装シート２０のうち第１高密度領域２５１と重複する範囲に塗布されている。これにより、第１高密度領域２５１の全域に亘って端部接着領域２７を形成している接着剤が不織布の厚さ方向の上側（製品の表側）に染み出すことが抑制される。すなわち、包装シート２０の第１端縁部２０ｒｆのうち、横方向における中央部（中央高密度部２５１ｃ）のみならず、その両側の領域でも接着剤の染み出しを抑制し、個包装状態のナプキン１（包装シート２０）の外側表面がベタつくことを抑制できる。
【００６０】
また、第１高密度領域２５１は、図６に示されるように、横方向の中央に設けられた中央高密度部２５１ｃと、その両側に複数設けられた両側高密度部２５１ｓとによって形成され、中央高密度部２５１ｃと両側高密度部２５１ｓとの間、もしくは各々の両側高密度部２５１ｓ，２５１ｓの間には、それぞれ所定の隙間が設けられている。すなわち、第１高密度領域２５１では、所定の密度ρ２０及び所定の厚さｔ２０を有する部分（高密度部２５が形成されていない部分）と、所定の密度ρ２０よりも密度が高く所定の厚さｔ２０よりも厚さが薄い部分（高密度部２５）とが横方向において隣り合って配置されている。つまり、包装シート２０の第１端縁部２０ｒｆでは、繊維が伸びやすい部分（高密度部２５が形成されていない部分）と、繊維が伸び難い部分（高密度部２５）とが隣り合って配置されていることになる。このような構成により個包装状態のナプキン１を開封する作業を行いやすくすることができる。
【００６１】
例えば、図８のようにリードテープ５０が引っ張られる場合、リードテープ５０を引っ張る力は包装シート２０の第１端縁部２０ｒｆ（端２０ｅｆ）に沿って横方向両側に伝達される。このとき、仮に、第１端縁部２０ｒｆの全体に高密度部２５が形成されていたとすると、リードテープ５０を引っ張る力がリードテープ５０（基端部５０ｓ）の横方向両端の端点５０ｓｅに撃力のように作用して、端点５０ｓｅにおいて接着層５５が剥がれやすくなるおそれがある。これに対して、本実施形態では、第１端縁部２０ｒｆの横方向の位置に繊維が伸びやすい部分が設けられていることにより、当該繊維が伸びやすい部分において繊維を伸ばすために力が分散して作用する。したがって、リードテープ５０（基端部５０ｓ）の横方向両端の端点５０ｓｅに力が集中し難くなり、リードテープ５０が包装シート２０から離脱してしまうことをより抑制しやすくなる。
【００６２】
なお、第１端縁部２０ｒｆにおいて、高密度部２５が形成されている部分の割合が、高密度部２５が形成されていない部分の割合よりも小さい場合、すなわち、高密度部２５が形成されている部分の面積が相対的に小さい場合、上述のような接着剤の染み出しや不織布の破れといった問題を十分に抑制しにくくなるおそれがある。これに対して、本実施形態の包装シート２０では、第１端縁部２０ｒｆにおいて、所定の密度ρ２０よりも密度が高く所定の厚さｔ２０よりも厚さが薄い部分の面積の和が、所定の密度ρ２０及び所定の厚さｔ２０を有する部分の面積の和よりも大きくなるように構成されている。したがって、第１端縁部２０ｒｆの領域全体について、接着剤の染み出しや不織布の破れを抑制しやすい。
【００６３】
また、第１端縁部２０ｒｆに沿って形成されている第１高密度領域２５１は、包装シート２０の横方向の一方側の側端部２０ｒｓから他方側の側端部２０ｒｓに亘って形成されている。したがって、第１高密度領域２５１を構成している両側高密度部２５１ｓは、包装シート２０のシール領域２９の少なくとも一部と重複している（図５参照）。これにより、当該重複する部分では不織布の強度が高くなり、シール領域２９を剥がす際に、該シール領域２９において不織布が破れてしまうことを抑制しやすくなる。例えば、図８のように個包装状態のナプキン１を開封する際に、リードテープ５０を引っ張る力がシール領域２９まで伝達された際に、シール領域２９において両側高密度部２５１ｓと重複している部分の強度が高いため、当該部分に大きな力が作用したとても包装シートが破れ難くなる。
【００６４】
＝＝＝第２実施形態＝＝＝
＜吸収性物品包装体の構成＞
第２実施形態では、吸収性物品包装体（個包装体）の一例として、ウイング部を備える生理用ナプキン２（以下、単にナプキン２とも呼ぶ）について説明する。図９は、展開した状態のナプキン２を肌側から見たときの概略平面図である。第２実施形態のナプキン２は、吸収性物品１０の形状が第１実施形態のナプキン１とは異なる。また、ナプキン２の包装シート２０には、後述するウイング部セパレーター３５が設けられている。ナプキン２のその他の基本的な構成は、第１実施形態のナプキン１とほぼ同等である。
【００６５】
ナプキン２で、吸収性物品１０はウイング部１５を有する。ウイング部１５は、吸収性物品１０の縦方向中央部付近、すなわち製品長手方向の一方側の端と他方側の端との間において、トップシート１２及びバックシート１３の少なくともいずれかが横方向両端部から外側に延出することによって形成されている。ウイング部１５の厚さ方向の非肌側表面には、本体粘着部１３１と同様にホットメルト接着剤の接着剤が塗布されたウイング粘着部１５１が設けられている。吸収性物品１０を使用する際には、吸収性物品１０の本体粘着部１３１を下着の股下部内側（肌側）に貼付した後、ウイング部１５を非肌側に折り曲げてウイング粘着部１５１を下着の股下部外側（非肌側）に貼付する。これにより、本体粘着部１３１とウイング粘着部１５１とで下着の股下部を挟み込むようにして吸収性物品１０が固定され、吸収性物品１０着用時における位置ずれ等を抑制しやすくなる。
【００６６】
また、ナプキン２において、包装シート２０の縦方向後側の第２端縁部２０ｒｂは、図９に示されるように吸収性物品１０よりも縦方向の後側（長手方向の外側）に突出している。すなわち、包装シート２０の縦方向における寸法は、吸収性物品１０の縦方向における寸法よりも長い。そして、第２端縁部２０ｒｂには、横方向に沿って並ぶ複数の高密度部２５によって第５高密度領域２５５が形成されている。不織布の高密度部２５では、第１実施形態と同様の圧縮処理が施されることによって、所定の密度ρ２０よりも密度が高く、また、所定の厚さｔ２０よりも厚さが薄くなっている。
【００６７】
そして、第２端縁部２０ｒｂの厚さ方向の肌側には、ホットメルト接着剤等の接着剤が塗布されることによってウイングセパレーター接合部１３５が形成されている。該ウイングセパレーター接合部１３５を介して包装シート２０の厚さ方向の肌側にウイングセパレーター３５が接合・固定されている。ウイングセパレーター３５は、セパレーター３０と同様に肌側表面がシリコン樹脂等を用いて剥離加工されたシート部材である。
【００６８】
図１０は、展開状態のナプキン２を第１折り目Ｆ１にて縦方向に折り畳んだ状態について表す概略平面図である。図１１は、図１０のＣ−Ｃ断面について表した概略断面図である。
【００６９】
ナプキン２を図１のような個包装状態にする際には、先ず、吸収性物品１０の横方向両側に突出したウイング部１５が横方向の内側に折り返される。図１０では、横方向の所定位置において縦方向に沿って配置された第１ウイング折り目ＦＷ１、及び第２ウイング折り目ＦＷ２を基点として吸収性物品１０の肌側表面が内側となるように、横方向両側のウイング部１５，１５がそれぞれ横方向の外側から内側に折り畳まれている。この状態において、ウイング粘着部１５１は厚さ方向の上側に露出している。
【００７０】
続いて、第１折り目Ｆ１を基点として吸収性物品１０の肌側表面が内側となるように、包装シート２０及び吸収性物品１０（及びセパレーター３０）が縦方向に折り曲げられる。すなわち、第１折り目Ｆ１を基点として包装シート２０の第２端縁部２０ｒｂ（端２０ｅｂ）が縦方向（長手方向）の外側から内側に折り返される。このとき、第２端縁部２０ｒｂに接合されているウイングセパレーター３５のうち剥離加工された面（図１１においては下側の面）がウイング粘着部１５１に対して剥離可能に貼付される。これにより、吸収性物品１０の使用前においてウイング粘着部１５１を形成する接着剤が包装シート２０に付着することが抑制されると共に、ウイング粘着部１５１が保護される。
【００７１】
第２実施形態のナプキン２において、ウイングセパレーター接合部１３５は、縦方向及び横方向において第５高密度領域２５５と重複する位置に設けられている。上述したように、高密度部２５（第５高密度領域２５５）では不織布の繊維が押し固められ、微細な凹凸が減少して表面が平滑な状態となっている。したがって、高密度部２５が形成されていない領域と比較して、接着剤と不織布表面との接触面積が大きくなり、ウイングセパレーター接合部１３５と包装シート２０との接着強度が。これにより、個包装状態のナプキン２を開封する際にウイングセパレーター接合部１３５が剥がれることによって、ウイングセパレーター３５が包装シート２０から離脱してしまったり、セパレーター３５が収性物品１０側に残ってしまったりすることが抑制される。
【００７２】
また、ウイングセパレーター接合部１３５と第５高密度領域２５５とが重複していることにより、当該領域ではウイングセパレーター接合部１３５を形成している接着剤が包装シート２０（不織布）の厚さ方向の反対側に染み出しにくくなる。これにより、包装シート２の表面がベタつくことを抑制できる。
【００７３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７４】
＜吸収性物品１０について＞
上述の実施形態では、図１に示されるような縦長の略楕円形状をした吸収性物品１０について説明されていたが、吸収性物品１０形状や構成はこの限りではない。例えば、吸収性物品１０の縦方向中央部付近において、トップシート１２及びバックシート１３が横方向両端部から外側に延出することにより所謂ウイングが設けられていても良い。また、図１では、吸収性物品１０の表面に線状の圧搾部が示されているが、他の形状の圧搾部が設けられていても良いし、線状圧搾部が設けられていなくても良い。
【００７５】
＜ナプキン１の折り畳み方について＞
上述の実施形態では、吸収性物品１０及び包装シート２０が、第１折り目Ｆ１及び第２折り目Ｆ２にて折り畳まれることにより、縦方向に三つ折りにされたナプキン１の個包装状態の例について説明されていたが、ナプキン１の折り畳み方はこの限りではない。例えば、ナプキン１が４つ折り以上に折り畳まれる構成であっても良い。
【符号の説明】
【００７６】
１  生理用ナプキン（ナプキン）、
２  生理用ナプキン（ナプキン）、
１０  吸収性物品、１０ｅｆ  吸収性物品前端部、
１１  吸収性コア、
１２  トップシート、１２Ａ  センタートップシート、１２Ｂ  サイドトップシート、
１３  バックシート、
２０  包装シート、
２０ｅｆ  端（一方側）、２０ｒｆ  第１端縁部、
２０ｅｂ  端（他方側）、２０ｒｂ  第２端縁部、
２０ｒｓ  側端部、
２５  高密度部、
２５１  第１高密度領域、２５１ｃ  中央高密度部、２５１ｓ  両側高密度部、
２５２  第２高密度領域、２５３  第３高密度領域、２５４  第４高密度領域、
２５５  第５高密度領域、
２７  端部接着領域、２９  シール領域、
３０  セパレーター、
３５  ウイングセパレーター、
５０  リードテープ、５０ｓ  基端部、５０ｆ  自由端部、
５５  接着層、
１３１  本体粘着部、１３２  包装シート接合部、
１３５ウイングセパレーター接合部、
１５１  ウイング粘着部、
ｔ２０  厚さ、ρ２０  密度、
Ｆ１  第１折り目、Ｆ２  第２折り目
【図１】
2018149024.tif 000003
【図２】
2018149024.tif 000004
【図３】
2018149024.tif 000005
【図４】
2018149024.tif 000006
【図５】
2018149024.tif 000007
【図６】
2018149024.tif 000008
【図７】
2018149024.tif 000009
【図８】
2018149024.tif 000010
【図９】
2018149024.tif 000011
【図１０】
2018149024.tif 000012
【図１１】
2018149024.tif 000013